(57)【要約】【課題】被記録媒体が斜行搬送されることによる不具合を抑制する。【解決手段】被記録媒体Ｐを搬送する搬送部９、１４及び１５と、被記録媒体Ｐの浮きを検出する浮き検出部１０と、を備え、浮き検出部１０は、被記録媒体Ｐの異なる位置Ｐａ、Ｐｂ及びＰｃに向けて照射可能な複数の発光素子Ｉａ、Ｉｂ及びＩｃと、複数の発光素子Ｉａ、Ｉｂ及びＩｃから照射された全反射光を順次受光可能な１つの受光素子Ｒとを有し、前記全反射光の受光強度から異なる位置Ｐａ、Ｐｂ及びＰｃにおける前記浮きを検出可能である。【選択図】図２
2015168491.tif 000002
【特許請求の範囲】
【請求項１】
被記録媒体を搬送する搬送部と、
前記被記録媒体の浮きを検出する浮き検出部と、を備え、
前記浮き検出部は、
前記被記録媒体の異なる位置に向けて照射可能な複数の発光素子と、前記複数の発光素子から照射された全反射光を順次受光可能な１つの受光素子とを有し、
前記全反射光の受光強度から前記異なる位置における前記浮きを検出可能であることを特徴とする記録装置。
【請求項２】
請求項１に記載の記録装置において、
前記浮き検出部は、前記搬送部による前記被記録媒体の搬送方向において複数個所で前記異なる位置における前記浮きを検出可能であることを特徴とする記録装置。
【請求項３】
請求項１又は２に記載の記録装置において、
前記浮き検出部は、前記搬送部による前記被記録媒体の搬送方向と交差する交差方向において複数個所で前記異なる位置における前記浮きを検出可能であることを特徴とする記録装置。
【請求項４】
請求項１から３のいずれか１項に記載の記録装置において、
前記搬送部の搬送条件を制御する制御部を備え、
前記制御部は、前記浮き検出部の検出結果に基づいて、前記被記録媒体の搬送速度を、前記被記録媒体の搬送方向と交差する交差方向において調整することを特徴とする記録装置。
【請求項５】
請求項１から４のいずれか１項に記載の記録装置において、
前記浮き検出部の検出結果に基づいて前記被記録媒体の搬送の良否を判断する判断部と、
前記判断部により前記被記録媒体の搬送が不良であると判断された場合に、搬送不良情報を出力可能な出力部と、
を備えることを特徴とする記録装置。
【請求項６】
請求項１から５のいずれか１項に記載の記録装置において、
前記搬送部は、ロール状の前記被記録媒体を回転させて送出可能な送出部を有し、
前記送出部は、前記検出結果に基づいて前記被記録媒体の送出角度を調整可能であることを特徴とする記録装置。
【請求項７】
請求項１から６のいずれか１項に記載の記録装置において、
前記搬送部は、ロール状の前記被記録媒体を回転させて送出可能な送出部を有し、
前記送出部は、前記検出結果に基づいて前記被記録媒体の搬送方向と交差する交差方向に移動可能であることを特徴とする記録装置。
【請求項８】
請求項１から７のいずれか１項に記載の記録装置において、
前記搬送部は、前記被記録媒体を回転させてロール状に巻き取り可能な巻取部を有し、
前記巻取部は、前記検出結果に基づいて前記被記録媒体の巻き取り角度を調整可能であることを特徴とする記録装置。
【請求項９】
請求項１から８のいずれか１項に記載の記録装置において、
前記搬送部は、前記被記録媒体を回転させてロール状に巻き取り可能な巻取部を有し、
前記巻取部は、前記検出結果に基づいて前記被記録媒体の搬送方向と交差する交差方向に移動可能であることを特徴とする記録装置。
【請求項１０】
請求項１から９のいずれか１項に記載の記録装置において、
前記搬送部は、前記被記録媒体に張力を付与する張力付与部を有し、
前記張力付与部は、前記検出結果に基づいて前記被記録媒体に付与する張力を前記交差方向において調整可能であることを特徴とする記録装置。
【請求項１１】
請求項１から１０のいずれか１項に記載の記録装置において、
前記搬送部は、前記被記録媒体を挟持して搬送する挟持部を有し、
前記挟持部は、挟持力を前記交差方向において調整可能であることを特徴とする記録装置。
【発明の詳細な説明】
【技術分野】
【０００１】
本発明は、記録装置に関する。
【背景技術】
【０００２】
従来から、被記録媒体を搬送して記録する記録装置が使用されている。このような構成の記録装置においては、被記録媒体が斜行搬送される場合があり、被記録媒体が斜行搬送されることによる不具合が発生していた。そこで、このような不具合を抑制する技術が開示されている。  
例えば、特許文献１には、発光部から照射され被記録媒体で反射した可干渉性の光線を受光し、その反射光に生じる干渉パターンから斜行量等を算出する構成が開示されている。
【先行技術文献】
【特許文献】
【０００３】
【特許文献１】特開２００３−２０５６５４号公報
【発明の概要】
【発明が解決しようとする課題】
【０００４】
上記のような従来の記録装置では、被記録媒体の斜行搬送を検出する検出部として、１つの発光素子と１つの受光素子からなるものや、このような１つの発光素子と１つの受光素子からなる検出ユニットを複数備えるものが使われていた。  
しかしながら、１つの発光素子と１つの受光素子からなる検出部は、被記録媒体の斜行搬送の検出能力が低い場合があった。また、１つの発光素子と１つの受光素子からなる検出ユニットを複数備える検出部は、被記録媒体の斜行搬送の検出能力を高めるために該ユニットを近接して配置すると各々の発光素子から照射される照射光が想定しない干渉をし、誤検出する場合があった。  
このため、従来の記録装置では、被記録媒体が斜行搬送されることによる不具合を抑制することが十分でない場合があった。
【０００５】
そこで、本発明の目的は、被記録媒体が斜行搬送されることによる不具合を抑制することである。
【課題を解決するための手段】
【０００６】
上記課題を解決するための本発明の第１の記録装置は、被記録媒体を搬送する搬送部と、前記被記録媒体の浮きを検出する浮き検出部と、を備え、前記浮き検出部は、前記被記録媒体の異なる位置に向けて照射可能な複数の発光素子と、前記複数の発光素子から照射された全反射光を順次受光可能な１つの受光素子とを有し、前記全反射光の受光強度から前記異なる位置における前記浮きを検出可能であることを特徴とする。
【０００７】
本態様によれば、前記浮き検出部は、前記被記録媒体の異なる位置に向けて照射可能な複数の発光素子と、前記複数の発光素子から照射された全反射光を順次受光可能な１つの受光素子とを有し、前記異なる位置における前記浮きを検出可能である。このように、前記被記録媒体の異なる位置の浮きを順次検出できるので、浮きが検出された位置に応じて、該浮きが斜行搬送によるものか否か、斜行搬送によるものならばどのような方向に斜行しているかを検出可能である。
【０００８】
本発明の第２の態様の記録装置は、前記第１の態様において、前記浮き検出部は、前記搬送部による前記被記録媒体の搬送方向において複数個所で前記異なる位置における前記浮きを検出可能であることを特徴とする。
【０００９】
本態様によれば、前記浮き検出部は、前記搬送方向において複数個所で前記異なる位置における前記浮きを検出可能である。このため、前記被記録媒体の斜行搬送の検出能力が高くなり、効果的に前記被記録媒体が斜行搬送されることによる不具合を抑制することができる。
【００１０】
本発明の第３の態様の記録装置は、前記第１又は第２の態様において、前記浮き検出部は、前記搬送部による前記被記録媒体の搬送方向と交差する交差方向において複数個所で前記異なる位置における前記浮きを検出可能であることを特徴とする。
【００１１】
本態様によれば、前記浮き検出部は、前記交差方向において複数個所で前記異なる位置における前記浮きを検出可能である。このため、前記被記録媒体の斜行搬送の検出能力が高くなり、効果的に前記被記録媒体が斜行搬送されることによる不具合を抑制することができる。
【００１２】
本発明の第４の態様の記録装置は、前記第１から第３のいずれか１つの態様において、前記搬送部の搬送条件を制御する制御部を備え、前記制御部は、前記浮き検出部の検出結果に基づいて、前記被記録媒体の搬送速度を、前記被記録媒体の搬送方向と交差する交差方向において調整することを特徴とする。
【００１３】
前記被記録媒体の斜行搬送が発生した場合、前記被記録媒体の搬送速度を前記交差方向において調整することで、前記被記録媒体の斜行搬送を修正することができる。  
本態様によれば、前記制御部は、前記浮き検出部の検出結果に基づいて、前記被記録媒体の搬送速度を、前記交差方向において調整する。このため、前記被記録媒体の斜行搬送を早期に検出し、前記被記録媒体が斜行搬送されることによる不具合が発生する前に斜行搬送を修正することができる。
【００１４】
本発明の第５の態様の記録装置は、前記第１から第４のいずれか１つの態様において、前記浮き検出部の検出結果に基づいて前記被記録媒体の搬送の良否を判断する判断部と、前記判断部により前記被記録媒体の搬送が不良であると判断された場合に、搬送不良情報を出力可能な出力部と、を備えることを特徴とする。
【００１５】
本態様によれば、前記判断部により前記被記録媒体の搬送が不良であると判断された場合に搬送不良情報を出力可能な出力部を備える。
【００１６】
本発明の第６の態様の記録装置は、前記第１から第５のいずれか１つの態様において、前記搬送部は、ロール状の前記被記録媒体を回転させて送出可能な送出部を有し、前記送出部は、前記検出結果に基づいて前記被記録媒体の送出角度を調整可能であることを特徴とする
【００１７】
本態様によれば、前記送出部は前記検出結果に基づいて前記被記録媒体の送出角度を調整可能である。
【００１８】
本発明の第７の態様の記録装置は、前記第１から第６のいずれか１つの態様において、前記搬送部は、ロール状の前記被記録媒体を回転させて送出可能な送出部を有し、前記送出部は、前記検出結果に基づいて前記被記録媒体の搬送方向と交差する交差方向に移動可能である。
【００１９】
本態様によれば、前記送出部は前記検出結果に基づいて前記被記録媒体の搬送方向と交差する交差方向に移動可能である。
【００２０】
本発明の第８の態様の記録装置は、前記第１から第７のいずれか１つの態様において、前記搬送部は、前記被記録媒体を回転させてロール状に巻き取り可能な巻取部を有し、前記巻取部は、前記検出結果に基づいて前記被記録媒体の巻き取り角度を調整可能であることを特徴とする。
【００２１】
本態様によれば、前記巻取部は前記検出結果に基づいて前記被記録媒体の巻き取り角度を調整可能である。
【００２２】
本発明の第９の態様の記録装置は、前記第１から第８のいずれか１つの態様において、前記搬送部は、前記被記録媒体を回転させてロール状に巻き取り可能な巻取部を有し、前記巻取部は、前記検出結果に基づいて前記被記録媒体の搬送方向と交差する交差方向に移動可能であることを特徴とする。
【００２３】
本態様によれば、前記巻取部は前記検出結果に基づいて前記被記録媒体の搬送方向と交差する交差方向に移動可能である。
【００２４】
本発明の第１０の態様の記録装置は、前記第１から第９のいずれか１つの態様において、前記搬送部は、前記被記録媒体に張力を付与する張力付与部を有し、前記張力付与部は、前記検出結果に基づいて前記被記録媒体に付与する張力を前記交差方向において調整可能であることを特徴とする。
【００２５】
本態様によれば、前記張力付与部は、前記検出結果に基づいて前記被記録媒体に付与する張力を前記交差方向において調整可能である。
【００２６】
本発明の第１１の態様の記録装置は、前記第１から第１０のいずれか１つの態様において、前記搬送部は、前記被記録媒体を挟持して搬送する挟持部を有し、前記挟持部は、挟持力を前記交差方向において調整可能であることを特徴とする。
【００２７】
ここで、「前記被記録媒体を挟持して搬送する挟持部」とは、例えば、前記被記録媒体を挟持するローラー対のような固体同士で前記被記録媒体を挟持する構成のほか、前記被記録媒体に送風して該被記録媒体を駆動ローラーに押し付ける構成のような、固体以外の流体を利用して前記被記録媒体を挟持する構成も含む意味である。  
本態様によれば、前記挟持部は、挟持力を前記交差方向において調整可能である。
【図面の簡単な説明】
【００２８】
【図１】本発明の実施例１に係る記録装置を表す概略側面図。
【図２】本発明の実施例１に係る記録装置を表す概略平面図。
【図３】本発明の実施例１に係る記録装置の要部を表す概略正面図。
【図４】本発明の実施例１に係る記録装置のブロック図。
【図５】本発明の実施例２に係る記録装置を表す概略側面図。
【図６】本発明の実施例３に係る記録装置を表す概略側面図。
【図７】本発明の実施例４に係る記録装置を表す概略側面図。
【発明を実施するための形態】
【００２９】
以下に、本発明の実施例に係る記録装置について、添付図面を参照して詳細に説明する。
【００３０】
［実施例１］（図１〜図４）  
図１は、本発明の実施例１に係る記録装置１を表す概略側面図である。  
また、図２は、本発明の実施例１に係る記録装置１を表す概略平面図であり、記録装置１の要部である浮き検出部としてのセンサー１０による浮き検出位置を表す概略平面図である。  
また、図３は、本発明の実施例１に係る記録装置１の要部であるセンサー１０を表す概略正面図である。
【００３１】
図１で表されるように、本実施例の記録装置１は、被記録媒体Ｐを送出する送出部１４から、被記録媒体Ｐの支持部であるプラテン２、プラテン３及びプラテン４を介して、被記録媒体Ｐの巻取部１５まで、被記録媒体Ｐを搬送方向Ａに搬送する。すなわち、送出部１４から巻取部１５までが記録装置１における被記録媒体Ｐの搬送経路であり、プラテン２、プラテン３及びプラテン４は該搬送経路に設けられた被記録媒体Ｐの支持部である。なお、送出部１４は回転方向Ｃに回転して被記録媒体Ｐを送出し、巻取部１５は回転方向Ｃに回転して被記録媒体Ｐを巻き取る。
【００３２】
なお、本実施例の記録装置１は、ロール状の被記録媒体Ｐに記録を行うことが可能な構成であるが、このような構成に限定されず、単票状の被記録媒体Ｐに記録を行うことが可能な構成であってもよい。単票状の被記録媒体Ｐに記録を行うことが可能な構成である場合、被記録媒体Ｐの送出部１４として、例えば、所謂、給紙（給送）トレイ及び給紙（給送）カセットなどと呼ばれるものを使用してもよい。また、被記録媒体Ｐの回収部として、巻取部１５以外の回収部として、例えば、所謂、排出用受部、排紙（排出）トレイ及び排紙（排出）カセットなどと呼ばれるものを使用してもよい。
【００３３】
本実施例の記録装置１は、プラテン２とプラテン３の間に駆動ローラー５が設けられ、駆動ローラー５と対向する位置（上部）には送風部であるファン７が設けられている。ファン７は駆動ローラー５に向かう方向Ｄに送風することが可能である。そして、その風圧により被記録媒体Ｐを駆動ローラー５に押し付けることができる。このような構成により、駆動ローラー５とファン７とで搬送部９を構成している。  
別の表現をすると、搬送部９は、被記録媒体Ｐの第１面１７（記録面に対する裏面）と接触可能に設けられ第１面１７に送り力を付与する駆動ローラー５と、駆動ローラー５と対向する位置に設けられ被記録媒体Ｐの第２面１６（記録面）に送風可能なファン７と、を有している。そして、被記録媒体Ｐを、駆動ローラー５とファン７により発生する気流により挟持して搬送方向Ａに搬送する。  
ここで、被記録媒体Ｐを搬送方向Ａに搬送する際には、駆動ローラー５は回転方向Ｃに回転する。  
なお、本実施例の記録装置１は、搬送部９は当然本発明の搬送部に該当するが、送出部１４及び巻取部１５も被記録媒体Ｐの搬送に寄与するため、本発明の搬送部に該当する。
【００３４】
ファン７は、図２のファン７ａからファン７ｄで表されるように、搬送方向Ａと交差する交差方向Ｂに分割されており、制御部１８（図４参照）の制御により、個別に駆動可能である。別の表現をすると、ファン７は、交差方向Ｂにおける挟持力を調整可能である。  
このような構成により、制御部１８は、交差方向Ｂにおける挟持力を調整し、被記録媒体Ｐの搬送速度を交差方向Ｂにおいて調整することが可能である。具体的には、例えば、ファン７ａの風量を弱めることでファン７ａ側の被記録媒体Ｐをリリースさせ、ファン７ａ側の搬送速度をファン７ｄ側の搬送速度よりも遅くすることができる。本実施例の記録装置１は、このような簡単な構成により、被記録媒体Ｐが斜行搬送されることによる不具合を抑制している。
【００３５】
また、本実施例の搬送部９は、ローラー対で被記録媒体Ｐを挟持することなく該被記録媒体Ｐを搬送するので、被記録媒体Ｐの搬送に伴うローラー痕の付着などの搬送不具合を抑制している。特に、被記録媒体Ｐの記録面側に従動ローラーの跡が付くことを防止できる構成になっている。  
ただし、ファン７の代わりに従動ローラーを有し、駆動ローラー５と該従動ローラーとで被記録媒体Ｐを挟持して該被記録媒体Ｐを搬送する構成の搬送部９を用いてもよい。
【００３６】
なお、本実施例では記録面が外側になるように巻かれているロール式の被記録媒体Ｐを使用しているので、被記録媒体Ｐを送出部１４から送出する際、送出部１４は回転軸を回転方向Ｃに回転する。一方、記録面が内側になるように巻かれているロール式の被記録媒体Ｐを使用する場合は、送出部１４は回転軸を回転方向Ｃとは逆回転して被記録媒体Ｐを送出することが可能である。  
そして、同様に、本実施例の巻取部１５は被記録媒体Ｐの記録面が外側になるように巻き取るので、巻取部１５は回転軸を回転方向Ｃに回転する。一方、記録面が内側になるように巻き取る場合は、巻取部１５は回転軸を回転方向Ｃとは逆回転して被記録媒体Ｐを巻き取ることが可能である。
【００３７】
また、本実施例の記録装置１は、プラテン３と対向する側に記録部としての記録ヘッド１２が備えられている。記録装置１は、キャリッジ１１を介して交差方向Ｂに記録ヘッド１２を往復移動させながら、記録ヘッド１２のインク吐出面Ｆから被記録媒体Ｐにインクを吐出させて所望の画像を形成する。  
なお、本実施例の記録装置１は、往復移動しながら記録する記録ヘッド１２を備えているが、インクを吐出するノズルを交差方向Ｂに複数設けた所謂ラインヘッドを備える記録装置でもよい。  
ここで、「ラインヘッド」とは、被記録媒体Ｐの搬送方向Ａと交差する交差方向Ｂに形成されたノズルの領域が、被記録媒体Ｐの交差方向Ｂ全体をカバー可能なように設けられ、記録ヘッド又は被記録媒体の一方を固定し他方を移動させて画像を形成する記録装置に用いられる記録ヘッドである。なお、ラインヘッドの交差方向Ｂのノズルの領域は、記録装置が対応している全ての被記録媒体Ｐの交差方向Ｂ全体をカバー可能でなくてもよい。
【００３８】
なお、図中の方向Ｘ及び方向Ｙは各々が直交する水平方向であり、方向Ｚは鉛直方向である。そして、本実施例の記録装置１においては、プラテン３上における被記録媒体Ｐの搬送方向Ａは方向Ｙに対応し、交差方向Ｂは方向Ｘに対応している。
【００３９】
なお、本実施例の記録装置１は、搬送部９が搬送方向Ａにおいて記録ヘッド１２の上流側に設けられている。しかしながら、搬送部９が搬送方向Ａにおいて記録ヘッド１２を挟んで両側に設けられてもよい。搬送部９が前記両側に設けられる構成では、前記両側において被記録媒体Ｐを駆動ローラー５に押し付けることができるので、ジャムなどの搬送不良を効果的に抑制できる。
【００４０】
また、図１で表されるように、搬送部９のファン７は、記録ヘッド１２から離れる方向である方向Ｄに送風する。具体的には、ファン７は搬送方向Ａの上流側に向けて方向Ｄに送風している。このため、ファン７から送られる風が記録ヘッド１２から吐出されるインクの飛行状態に影響し、被記録媒体Ｐへの着弾位置ズレを発生させるということを抑制している。また、被記録媒体Ｐの第２面１６に付着した異物が送風により除去され、記録不良の発生を抑制することができる。  
なお、本実施例ではファン７は、記録ヘッドがある方向と逆の方向に風が流れるように送風しているが、記録ヘッドがある方向と交差する方向に風が流れるように送風してもよい。この場合、記録ヘッド１２と被記録媒体Ｐとの間に浮遊する記録ヘッド１２から吐出されるインクのミストが、記録ヘッド１２に再付着することが抑制され、記録ヘッド１２から安定してインクを吐出可能である。ただし、ファン７の送風方向が記録ヘッド１２に向かう方向である構成も本発明に含まれる。また、ファン７を搬送方向Ａと交差する方向に複数並べ、各ファンを、搬送方向下流側において方向Ｂに移動するキャリッジ１１の位置により、個別に風向きを変えることが可能な構成としてもよい。例えば、記録ヘッド１２に向かう方向とは逆の方向に風が流れるように、方向Ｂにおけるキャリッジ１１の移動方向において下流側に位置するファンは該下流側に向けて送風する構成としてもよい。
【００４１】
また、キャリッジ１１には、被記録媒体Ｐの浮きを検出する浮き検出部としてのセンサー１０が設けられている。なお、センサー１０は、交差方向Ｂにおける被記録媒体Ｐの幅を検出可能な幅検出部としての役割を兼ねている。
【００４２】
センサー１０は、図３で表されるように、被記録媒体Ｐの異なる位置Ｐａ、Ｐｂ及びＰｃに向けて赤外光を照射可能な複数の発光素子Ｉａ、Ｉｂ及びＩｃと、発光素子Ｉａ、Ｉｂ及びＩｃを切り換えて照射された該赤外光の全反射光を順次受光可能な１つの受光素子Ｒとを有している。なお、位置Ｐａは発光素子Ｉａによる照射領域に対応し、位置Ｐｂは発光素子Ｉｂによる照射領域に対応し、位置Ｐｃは発光素子Ｉｃによる照射領域に対応する。異なる位置Ｐａ、Ｐｂ及びＰｃにおける全反射光の受光強度から距離を算出することで複数位置での浮きを検出可能である。このように、被記録媒体Ｐの異なる位置Ｐａ、Ｐｂ及びＰｃの複数位置において浮きを順次検出できるので、後述するように、浮きが検出された位置に応じて、特定箇所にのみ発生している浮きなのか、連続した浮きにより皺Ｗが発生しているか否か、連続した浮きにより発生した皺Ｗはどのような方向に発生し、斜行搬送となっているかを検出可能である。  
このような構成により、本実施例の記録装置１は、センサー１０の検出結果に基づいて搬送部９における被記録媒体Ｐの搬送条件を変更することが可能になり、皺Ｗの発生や被記録媒体Ｐが斜行搬送されることによる不具合を抑制している。  
なお、本実施例の記録装置１は、被記録媒体Ｐの異なる位置に向けて赤外光を照射可能な複数の発光素子として、３つの発光素子を有しているが、２つの発光素子を有していてもよく、４つ以上の発光素子を有していてもよい。例えば、３つの発光素子を有している場合、発光素子Ｉａで発光し受光素子Ｒで受光、発光素子Ｉｃで発光し受光素子Ｒで受光、発光素子Ｉｂで発光し受光素子Ｒで受光、を順次繰り返し行い全反射光の受光強度から距離を算出することで浮きを検出する。また、発光素子Ｉａ、Ｉｂ及びＩｃのうちキャリッジ１１の最上流側及び最下流側に配置される発光素子Ｉａ、Ｉｂの発光を順次繰り返し、受光素子Ｒで反射光の受光強度を検出し、浮きが検出された場合に、発光素子Ｉｃの発光を発光素子Ｉａ、Ｉｂの発光の間のタイミングに入れてもよい。この場合、搬送方向上流側または下流側から発生してくる浮きを検知し、その浮きにより皺Ｗが発生しているかを検出可能である。なお、全反射光を受光可能である受光素子に限らず、正反射光や、拡散反射光を検出可能な構成としても良い。
【００４３】
また、図２で表されるように、本実施例のセンサー１０は、交差方向Ｂにおいて複数個所Ｌ１、Ｌ２及びＬ３で、被記録媒体Ｐの異なる位置Ｐａ、Ｐｂ及びＰｃにおける浮きを検出可能に構成されている。  
このため、被記録媒体Ｐの斜行搬送の検出能力が高くなり、効果的に被記録媒体Ｐが斜行搬送されることによる不具合を抑制している。  
なお、本実施例のセンサー１０は、浮き検出部が交差方向Ｂにおいて移動可能に設けられ移動しながら交差方向Ｂにおいて複数個所で浮きを検出する構成であるが、交差方向Ｂにおいて複数個所に浮き検出部が設けられる構成であってもよい。すなわち、「交差方向Ｂにおいて複数個所Ｌ１、Ｌ２及びＬ３で、被記録媒体Ｐの異なる位置Ｐａ、Ｐｂ及びＰｃにおける浮きを検出可能」とは、交差方向Ｂにおいて複数個所に浮き検出部が設けられる構成のほか、浮き検出部が交差方向Ｂにおいて移動可能に設けられ移動しながら交差方向Ｂにおいて複数個所で浮きを検出する構成が挙げられる。
【００４４】
被記録媒体Ｐの異なる位置Ｐａ、Ｐｂ及びＰｃにおける浮きが検出された位置に応じて、該浮きが斜行搬送によるものか否か、斜行搬送によるものならばどのような方向に斜行しているか、を具体的にどのように判断するかを以下に説明する。  
ただし、以下の説明は本実施例の記録装置１を用いた場合の判断例であり、このような判断例に限定されない。
【００４５】
図２で表されるように、被記録媒体Ｐが搬送方向Ａの下流側に搬送されるにつれて交差方向Ｂにおいてホームポジション側（図中右側）の方向に斜行される場合、搬送方向Ａの下流側に進むにつれて図中右側に向かう皺Ｗが発生する。このような皺Ｗが発生した場合、センサー１０は場所Ｌ２における位置Ｐｂ及びＰｃで浮きを検出する。このため、位置Ｐｂ及びＰｃで浮きを検出した場合、該浮きが斜行搬送によるものであると判断し、被記録媒体Ｐが搬送方向Ａの下流側に搬送されるにつれて交差方向Ｂにおいてホームポジション側の方向に斜行していると判断する。  
なお、場所Ｌ２に限らず、場所Ｌ１、Ｌ２及びＬｃのうちの少なくともいずれかにおいてセンサー１０が位置Ｐｂ及びＰｃで浮きを検出した場合、該浮きが斜行搬送によるものであると判断し、被記録媒体Ｐが搬送方向Ａの下流側に搬送されるにつれて交差方向Ｂにおいてホームポジション側の方向に斜行していると判断する。
【００４６】
一方、位置Ｐａ及びＰｃで浮きを検出した場合、該浮きが斜行搬送によるものであると判断し、被記録媒体Ｐが搬送方向Ａの下流側に搬送されるにつれて交差方向Ｂにおいてホームポジション側とは逆側の方向に斜行していると判断する。
【００４７】
また、位置Ｐａ、Ｐｂ及びＰｃのうちのいずれか一つのみで浮きを検出した場合、部分的な浮きであると判断し、被記録媒体Ｐは斜行搬送されていないと判断する。  
また、位置Ｐａ、Ｐｂ及びＰｃののうちの全てで浮きを検出した場合、被記録媒体Ｐの斜行搬送ではなく被記録媒体Ｐのジャムであると判断し、送出部１４、搬送部９及び巻取部１５の駆動は停止される。
【００４８】
なお、上記判断や制御は、全て、後述の制御部１８による制御によって行われる。
【００４９】
次に、本実施例の記録装置１における電気的な構成について説明する。  
図４は、本実施例の記録装置１のブロック図である。  
制御部１８には、記録装置１の全体の制御を司るＣＰＵ１９が設けられている。ＣＰＵ１９は、システムバス２０を介して、ＣＰＵ１９が実行する各種制御プログラムやメンテナンスシーケンス等を格納したＲＯＭ２１と、データを一時的に格納可能なＲＡＭ２２と、接続されている。
【００５０】
また、ＣＰＵ１９は、システムバス２０を介して、記録ヘッド１２を駆動するためのヘッド駆動部２３と接続されている。  
また、ＣＰＵ１９は、システムバス２０を介して、キャリッジ１１を移動させるためのキャリッジモーター２５、送出部１４の駆動源である送出モーター２６、駆動ローラー５の駆動源である搬送モーター２７、巻取部１５の駆動源である巻取モーター２８、を駆動させるためのモーター駆動部２４と接続されている。  
また、ＣＰＵ１９は、システムバス２０を介して、ファン７を駆動するためのファン駆動部３０と接続されている。  
また、ＣＰＵ１９は、システムバス２０を介して、送出部１４を方向Ｘ及び方向Ｚに移動するための送出部移動部３２と接続されている。  
また、ＣＰＵ１９は、システムバス２０を介して、巻取部１５を方向Ｘ及び方向Ｚに移動するための巻取部移動部３３と接続されている。  
さらに、ＣＰＵ１９は、システムバス２０を介して、入出力部３１と接続されており、入出力部３１は、センサー１０、記録データ等を記録装置１に入力する外部装置であるＰＣ２９、と接続されている。
【００５１】
本実施例の制御部１８は、搬送部９、送出部１４及び巻取部１５の搬送条件を制御することが可能であり、センサー１０の検出結果に基づいて、被記録媒体Ｐの搬送速度を交差方向Ｂにおいて調整することが可能である。  
被記録媒体Ｐの斜行搬送が発生した場合、被記録媒体Ｐの搬送速度を交差方向Ｂにおいて調整することで、被記録媒体Ｐの斜行搬送を修正することができる。例えば、図２で表されるように、被記録媒体Ｐが搬送方向下流側に向かうにつれて交差方向Ｂにおける一方の側に引っ張られて搬送されている場合、該引っ張られている側の搬送速度を遅くすることにより被記録媒体Ｐの斜行搬送を修正することができる。  
本実施例の制御部１８は、センサー１０の検出結果に基づいて被記録媒体Ｐの搬送速度を交差方向Ｂにおいて調整するため、本実施例の記録装置１は、被記録媒体Ｐの斜行搬送を早期に検出し、被記録媒体Ｐが斜行搬送されることによる不具合が発生する前に斜行搬送を修正することができる。
【００５２】
また、本実施例の制御部１８は、センサー１０の検出結果に基づいて被記録媒体Ｐの搬送の良否を判断する判断部としての役割と、被記録媒体Ｐの搬送が不良であると判断した場合に搬送不良情報をＰＣ２９に出力する出力部としての役割と、をしている。  
ここで、「搬送の良否を判断する」とは、斜行搬送及びジャム等が発生していない「良」か、斜行搬送及びジャムの少なくとも一方等が発生している「否」かを、判断することを意味する。  
このため、ＰＣ２９に前記搬送不良情報を出力し、ＰＣ２９のモニターに該情報を表示させることにより、ユーザーに被記録媒体Ｐの搬送が不良であることを報知することができる。  
なお、記録装置１にモニターを設け、該モニターに前記搬送不良情報を出力し、該モニターに該情報を表示させる構成としてもよい。
【００５３】
また、上記のように、本実施例の記録装置１は、ロール状の被記録媒体Ｐを回転させて送出可能な送出部１４を有する。  
そして、制御部１８は、センサー１０の検出結果に基づいて、送出部移動部３２を介して送出部１４を移動させて被記録媒体Ｐの送出角度を調整可能である。  
具体的には、送出部１４の方向Ｘにおける端部の一方と他方との高さが異なるように前記一方及び他方の少なくとも一方を方向Ｚに沿って移動可能である。  
このような構成により、制御部１８は、送出部１４を移動させて被記録媒体Ｐの送出角度を調整することにより、被記録媒体Ｐの搬送速度を交差方向Ｂにおいて調整することが可能である。このため、別途新たな構成部材を追加することなく、送出部１４を移動させることで、被記録媒体Ｐが斜行搬送されることによる不具合を抑制している。
【００５４】
また、制御部１８は、センサー１０の検出結果に基づいて、送出部移動部３２を介して送出部１４を、全体的に方向Ｘに沿って移動可能である。  
このような構成により、制御部１８は、送出部１４を移動させて被記録媒体Ｐの送出角度を調整することにより、被記録媒体Ｐの搬送速度を交差方向Ｂにおいて調整することが可能である。このため、別途新たな構成部材を追加することなく、送出部１４を移動させることで、被記録媒体Ｐが斜行搬送されることによる不具合を抑制している。
【００５５】
また、上記のように、本実施例の記録装置１は、ロール状の被記録媒体Ｐを回転させてロール状に巻き取り可能な巻取部１５を有する。  
そして、制御部１８は、センサー１０の検出結果に基づいて、巻取部移動部３３を介して巻取部１５を移動させて被記録媒体Ｐの巻き取り角度を調整可能である。  
具体的には巻取部１５の方向Ｘにおける端部の一方と他方との高さが異なるように前記一方及び他方の少なくとも一方を方向Ｚに沿って移動可能である。  
このような構成により、制御部１８は、巻取部１５を移動させて被記録媒体Ｐの巻き取り角度を調整することにより、被記録媒体Ｐの搬送速度を交差方向Ｂにおいて調整することが可能である。このため、別途新たな構成部材を追加することなく、巻取部１５を移動させることで、被記録媒体Ｐが斜行搬送されることによる不具合を抑制している。
【００５６】
また、制御部１８は、センサー１０の検出結果に基づいて、巻取部移動部３３を介して巻取部１５を、全体的に方向Ｘに沿って移動可能である。  
このような構成により、制御部１８は、巻取部１５を移動させて被記録媒体Ｐの巻き取り角度を調整することにより、被記録媒体Ｐの搬送速度を交差方向Ｂにおいて調整することが可能である。このため、別途新たな構成部材を追加することなく、巻取部１５を移動させることで、被記録媒体Ｐが斜行搬送されることによる不具合を抑制している。
【００５７】
［実施例２］（図５）  
次に、実施例２の記録装置について、添付図面を参照して詳細に説明する。  
図５は、本実施例の記録装置１の概略側面図を表している。なお、上記実施例と共通する構成部材は同じ符号で示しており、詳細な説明は省略する。  
なお、本実施例の記録装置１は、搬送方向Ａにおいて搬送部９の上流側と記録ヘッド１２の下流側に被記録媒体Ｐの浮きを検出する浮き検出部としてのセンサーがさらに設けられている以外は実施例１の記録装置１と同様の構成である。
【００５８】
図５で表されるように、本実施例の記録装置１は、搬送方向Ａにおいて搬送部９の上流側にセンサー６を備え、搬送方向Ａにおいて記録ヘッド１２の下流側にセンサー８を備えている。ここで、センサー６及びセンサー８は同様の構成であり、センサー１０と同様の構成のセンサーユニットが交差方向Ｂにおいて複数設けられた構成をしている。そして、制御部１８は、センサー１０の検出結果の他、センサー６及びセンサー８の検出結果に基づいて実施例１の記録装置１と同様の制御が可能である。
【００５９】
上記のように、本実施例の記録装置１は、センサー１０の他、センサー６及びセンサー８を備えるので、搬送方向Ａにおいて複数個所で、異なる位置Ｐａ、Ｐｂ及びＰｃにおける浮きを検出可能である。  
このため、被記録媒体Ｐの斜行搬送の検出能力が高く、効果的に被記録媒体Ｐが斜行搬送されることによる不具合を抑制している。  
なお、本実施例のセンサー６及びセンサー８は、共に、交差方向Ｂにおいて複数個所に浮き検出部としてのセンサーユニットが設けられる構成であるが、浮き検出部が搬送方向Ａにおいて移動可能に設けられ移動しながら搬送方向Ａにおいて複数個所で浮きを検出する構成であってもよい。また、本実施例の記録装置１は搬送方向Ａにおいて複数個所に浮き検出部としてのセンサー６、８及び１０が設けられる構成であるが、センサー６、８及び１０の代わりに、搬送方向Ａにおいて移動可能に設けられ移動しながら搬送方向Ａにおいて複数個所で浮きを検出するセンサーを有する構成であってもよい。すなわち、「搬送方向Ａにおいて複数個所で、異なる位置Ｐａ、Ｐｂ及びＰｃにおける浮きを検出可能」とは、搬送方向Ａにおいて複数個所に浮き検出部が設けられる構成のほか、浮き検出部が搬送方向Ａにおいて移動可能に設けられ移動しながら搬送方向Ａにおいて複数個所で浮きを検出する構成が挙げられる。  
また、センサー６で浮きが検出された場合は送出部１４を移動させて被記録媒体Ｐの送出角度を調整して被記録媒体Ｐの斜行搬送を修正し、センサー１０で浮きが検出された場合は巻取部１５を移動させて被記録媒体Ｐの巻き取り角度を調整して被記録媒体Ｐの斜行搬送を修正する構成としてもよい。
【００６０】
［実施例３］（図６）  
次に、実施例３の記録装置について、添付図面を参照して詳細に説明する。  
図６は、本実施例の記録装置１の概略側面図を表している。なお、上記実施例と共通する構成部材は同じ符号で示しており、詳細な説明は省略する。  
なお、本実施例の記録装置１は、搬送方向Ａにおいてプラテン４の下流側であって巻取部１５の上流側に被記録媒体Ｐに搬送方向Ａに沿う方向に張力を付与する張力付与部としてのテンションバー３４がさらに設けられている以外は実施例１の記録装置１と同様の構成である。
【００６１】
本実施例のテンションバー３４は、交差方向Ｂに延びるバーで構成されている。また、本実施例の制御部１８には、テンションバー３４を、全体的に方向Ｘに沿って移動可能であるとともに、テンションバー３４の方向Ｘにおける端部の一方と他方との高さが異なるように前記一方及び他方の少なくとも一方を方向Ｚに沿って移動可能なテンションバー移動部を有している。
【００６２】
本実施例の記録装置１は、搬送部を構成し、被記録媒体Ｐに張力を付与する張力付与部を有しており、本実施例の制御部１８は、テンションバー３４を移動させて被記録媒体Ｐに付与される張力を交差方向Ｂにおいて調整可能である。  
制御部１８は、交差方向Ｂにおける張力を調整することにより、被記録媒体Ｐの搬送速度を交差方向Ａにおいて調整することが可能である。テンションバー３４は簡単に構成できるので、本実施例の記録装置１は、このような構成により、簡単に、被記録媒体Ｐが斜行搬送されることによる不具合を抑制している。
【００６３】
［実施例４］（図７）  
次に、実施例４の記録装置について、添付図面を参照して詳細に説明する。  
図７は、本実施例の記録装置１の概略側面図を表している。なお、上記実施例と共通する構成部材は同じ符号で示しており、詳細な説明は省略する。  
なお、本実施例の記録装置１は、搬送方向Ａにおいて送出部１４の下流側であってプラテン２の上流側に被記録媒体Ｐに搬送方向Ａに沿う方向に張力を付与する張力付与部としてのテンションバー３５がさらに設けられている以外は実施例３の記録装置１と同様の構成である。
【００６４】
本実施例のテンションバー３５は、テンションバー３４と同様の構成であり、交差方向Ｂに延びるバーで構成されている。また、本実施例の制御部１８には、テンションバー３４及び３５を、全体的に方向Ｘに沿って移動可能であるとともに、テンションバー３４及び３５の方向Ｘにおける端部の一方と他方との高さが異なるように前記一方及び他方の少なくとも一方を方向Ｚに沿って移動可能なテンションバー移動部を有している。
【００６５】
本実施例の記録装置１は、搬送部を構成し、被記録媒体Ｐに張力を付与する張力付与部を有しており、本実施例の制御部１８は、テンションバー３４及び３５を移動させて被記録媒体Ｐに付与される張力を交差方向Ｂにおいて調整可能である。  
制御部１８は、交差方向Ｂにおける張力を調整することにより、被記録媒体Ｐの搬送速度を交差方向Ａにおいて調整することが可能である。テンションバー３４及び３５は簡単に構成できるので、本実施例の記録装置１は、このような構成により、簡単に、被記録媒体Ｐが斜行搬送されることによる不具合を抑制している。
【符号の説明】
【００６６】
１  記録装置、２  プラテン、３  プラテン、４  プラテン、５  駆動ローラー、
６  センサー（浮き検出部）、７、７ａ、７ｂ、７ｃ、７ｄ  ファン、
８  センサー（浮き検出部）、９  搬送部、１０  センサー（浮き検出部）、１１  キャリッジ、１２  記録ヘッド、１３  センサー（検出部）、１４  送出部（搬送部）、
１５  巻取部（搬送部）、１６  被記録媒体Ｐの第２面、
１７  被記録媒体Ｐの第１面、１８  制御部、１９  ＣＰＵ、２０  システムバス、
２１  ＲＯＭ、２２  ＲＡＭ、２３  ヘッド駆動部、２４  モーター駆動部、
２５  キャリッジモーター、２６  送出モーター、２７  搬送モーター、
２８  巻取モーター、２９  ＰＣ、３０  ファン駆動部、３１  入出力部、
３２  送出部移動部、３３  巻取部移動部、３４  テンションバー（搬送部）、
３５  テンションバー（搬送部）、Ｉａ、Ｉｂ、Ｉｃ  発光素子、
Ｌ１、Ｌ２、Ｌ３  交差方向Ｂにおける複数の場所、Ｐ  被記録媒体、
Ｐａ、Ｐｂ、Ｐｃ  被記録媒体Ｐにおける位置、Ｒ  受光素子、Ｗ皺
【図１】
2015168491.tif 000003
【図２】
2015168491.tif 000004
【図３】
2015168491.tif 000005
【図４】
2015168491.tif 000006
【図５】
2015168491.tif 000007
【図６】
2015168491.tif 000008
【図７】
2015168491.tif 000009